(57)【要約】      （修正有）【課題】首部の、首部領域に外界の刺激の対策や加齢の対策が容易なパック用シートを提供する。【解決手段】首部のパック用シート１は、略長方形の本体部２で左右双方の脱落防止の耳部に掛けとめられる切り欠き線８を備えた耳掛け部６，７を有し、密着し貼り付けられるための延長された帯状体に左右端部４、５を有し、いずれかを首部方向から肩部（支点）を経て抵抗が得られた状態で背中に引っ張りながら貼り付けられ固定されることを特長とする。【選択図】図１
2020130786.tif 000002
【特許請求の範囲】
【請求項１】
液剤を有し、首部の少なくとも一部を覆うことができる帯状体の本体部と、前記本体部の上部に結合された左右双方の耳部に掛けとめられる左右双方の第１端部と、前記左右双方の前記第１端部の前記耳部に対応する位置に形成された切り欠き部と、前記左右双方の前記第１端部の上端を結ぶ辺が顎裏部から首元方向に向かう弓形状を有し、前記本体部の左右双方に第２端部を備えて、前記第２端部が左右の肩部を経て背中の領域に貼り付けられることを特長とするシート体。
【請求項２】
前記帯状体の左又は右又は双方に、前記帯状体の長手方向に沿って、１本以上の切り欠き線を有してなる請求項１に記載のシート体。
【請求項３】
前記背中の領域は、左の肩甲骨と右の肩甲骨で囲まれる領域である請求項１に記載のシート体。
【発明の詳細な説明】
【技術分野】
【０００１】
本願発明は、首部のパック用シートに関する。
【背景技術】
【０００２】
従来品に、不織布シートで構成され、化粧用の液剤を含浸させて、首部の周囲や近傍を覆い貼り付けられるパックがある。
【０００３】
従来品を首に貼り付けながら、日常生活の動きを行うとパックシートが肌の面から剥がれてしまう、以下の先行技術に、本願発明が開示する技術が開示されていない。
【０００４】
特許第５８８３１８０号公報は、頭髪又は頭皮用のケア用品であり、頭部を覆う袋が耳掛け部を有し、耳部で固定する発明である。
【０００５】
実用新案登録第３１５９４９３号公報は、首の周囲をケアネックマスクで覆い固定でき、美容パックをしたまま移動・家事作業できる発明である。
【０００６】
実用新案登録第３１４７８０６号公報は、熱中症対策として首の周囲に巻きつけ式保冷具の発明がある。
【０００７】
首部の周囲に巻き付けるシート体は、刃型で打ち抜くことによって形成されて、シート体には美容液の含浸や美容効果が得られる原料を含ませられ構成される。
【先行技術文献】
【特許文献】
【０００８】
【特許文献１】特許第５８８３１８０号公報
【特許文献２】実用新案登録第３１５９４９３号公報
【特許文献３】実用新案登録第３１４７８０６号公報
【発明の概要】
【発明が解決しようとする課題】
【０００９】
首部の領域を覆い、女性が日常生活の動きに対応させ肌に面して剥がれず密着し固定され貼り付けられて、且、外界の刺激の美白、保湿等、加齢対策の皮膚の弛み等、薬事用法の効果に期する首部のパック用シートを提供する。
【課題を解決するための手段】
【００１０】
本願発明は、液剤を有し、首部の少なくとも一部を覆うことができる帯状体の本体部と、本体部の上部に結合された左右双方の耳部に掛けとめられる左右双方の第１端部と、左右双方の第１端部の耳部に対応する位置に形成された切り欠き部と、左右双方の第１端部の上端を結ぶ辺が顎裏部から首元方向に向かう弓の形状を有し、本体部の左右双方に第２端部を備えて、第２端部が左右の肩部を経て背中の領域に貼り付けられることを特長とするシート体で課題を解決する。
【発明の効果】
【００１１】
本願の首部のパック用シートは、首部の周りの肌の美容について、液剤を含み、日常生活の、首に密着し貼り付けられて固定できるための、耳に掛けとめられる耳掛け部と、シート体が肌に面して背中の領域に密着できるための延長された端部を有しているから首部に密着し固定されて、外界の刺激に対する美容対策や加齢による美容対策においての効能効果が得られる。
【図面の簡単な説明】
【００１２】
【図１】一実施形態の首部パック用シートの平面図
【図２】図１が貼り付けられた首部正面の説明図
【図３】図１が背中に貼り付けられた説明図
【図４】背中の領域の説明図
【図５】図１の左右に融合領域を有する平面図
【図６】パック用シートが打ちぬかれる説明図
【発明を実施するための形態】
【００１３】
図１は、本願一実施形態の、パック用シート（以下、「シート体」という。）符号１は、液剤を含み、図２の首部符号９の少なくとも一部を覆い密着し固定させ貼り付けられる首部のパック用シートである。
【００１４】
図２は、シート体が首部に密着し固定させ、本体部符号２の上部に結合された、左右双方の耳部に掛けとめられる左右双方に端部を有し、左右の耳掛けの左右双方の端部の上端を結ぶ辺が顎裏部から首元方向に向かう凸形状を描いた形状を有している。
【００１５】
詳しくは、左右の耳掛けの上端を結ぶ辺符号３５が、顎裏部のライン（曲線）に沿ってスムーズに宛がい易く貼り付けられる弓形状の、顎裏部から首元方向に向かう凸形状符号３６を描いている。左右双方の端部に、左右双方の耳部に掛け止められる右の耳掛部（右の第１端部）符号６と左の耳掛け部（左の第１端部）符号７の耳掛け部を有している。
【００１６】
弓形状は、顎裏部から首元方向に向かう、凸形状を描いている。円弧形状、多角形状、湾曲の形状であってもよく、使用者が、弓形状を目安にし、シート体を顎裏部に沿って首部に貼り付けられ固定される形状であればよい。
【００１７】
本体部の左右双方に、左右双方の端部が背中まで貼り付けられるための延長する帯状体符号３に右の端部（右の第２端部）符号４と左の端部（左の第２端部）符号５の端部を有する。
【００１８】
耳掛け部は、本体部の上部に好ましくは一体に打ち抜かれて結合され、右の耳部符号１０に掛けとめるための右の耳掛け部と左の耳部符号１１に掛けとめるための左の耳掛け部の、左右双方の耳掛け部の耳部に対応する位置に形成された切込み線符号８又は切り欠き孔からなる切り欠き部を備えて、左右双方の耳掛け部が左右双方の耳部にかけ止められることでシート体が脱落することなく首部に密着し貼り付けられて固定される。
【００１９】
加えて、左右双方の耳掛け部は、本体部の上部に接着剤による接着又は熱シールで溶着されて一体となる形態でもよい。
【００２０】
左右双方に切り欠き部を有する耳掛け部は、双方の耳部に掛けとめられることにより、シート体が首部に密着して貼り付けられ固定されて、シート体が日常生活の首運動に耐えて首部の肌からの剥がれを防止し、首部から脱落することを防止する。
【００２１】
掛けとめられる効果は、右の耳に掛けとめられ、左の耳に掛けとめられると、貼り付けられながらの用法の、日常生活の動作とする、例えば、炊事、洗濯等、首運動の上下または左右または横向き等に対して剥がれることなく密着し、継続して貼り付けられる。
【００２２】
図３は、首部に固定されるシート体の構成している。本体部から延長する帯状体の端部が、首部から左の肩上部符号１２と右の肩上部符号１３の双方の肩部を経て、右の背中符号１６に貼り付けられる端部符号４と左の背中符号１７に貼り付けられる端部符号５の双方の端部が背中の領域符号３７に貼り付けられ固定される。
【００２３】
本体部の帯状からなる帯状体が背中の方向に引っ張られながら、引っ張られる力の支点となる肩部の上を経て背中に至ることは、肩部が引っ張られる力の支点となり、引っ張られる力量が減少し、引っ張られる方向符号１４が逆戻り方向符号１５の首部に戻らないから、シート体が首部に戻り弛みを造ることなく密着して貼り付けられ固定される。
【００２４】
首部に固定されるシート体の用法は、左右双方に延長し帯状体からなる端部が、背中に貼り付けるための長さが設けられており、端部が背中の方向に引っ張られ、引っ張られ貼り付けられる力の支点となる肩部の上を経て、帯状体が連続して背中の領域の部位に貼り付けられることにより固定される。
【００２５】
シート体の帯状体は、首部から引っ張られ肩部の上（支点）を経て背中の領域に貼り付けられ固定されることで、首の肌に面するシート体が密着された状態を継続することができる。
【００２６】
シート体は、自然繊維又は化学繊維又は自然素材又は軟質素材等を有する不織布シート又は含水シート又はフィルム等から構成され、液剤を有することができる。
【００２７】
左右双方の帯状体から延長した端部は、背中の領域に貼り付けられて、引っ張られる方向の力を複数の方向に分散し、剥がれを防止させることができる。好ましくは、帯状体が延長する方向に沿った１本以上の切り欠き線符号１８を設けて、複数の帯状体符号１９を構成して、帯状体を分散し背中の領域の部位に貼り付け固定するとよい。すなわち、帯状体の左又は右又は双方に、帯状体の長手方向に沿って、１本以上の切り欠き線を設けるとよい。
【００２８】
帯状体を１本以上の切込み線符号１８により分散し背中の部位に貼り付ける用法と効果は、背中の皮膚の構造に汗腺、皮脂腺、毛包が多く、皮膚の表面がべたつくことでシート体が肌から剥がれやすく、帯状体の端部が背中の方向に引っ張られ貼り付けた際、日常生活の動作の、首方向に戻る力が分散されて肌からシート体が剥がれることの防止に有効である。
【００２９】
湯上りでの用法と効果は、左右の互いの帯状体が背中の領域の中段の辺の位置でクロスを構成し、互いを交差させて端部を背中の領域の下段の辺に貼り付け固定させると、互いの引っ張り方向の力が首方向に戻らず、帯状体が有する伸縮性が安定し、首部に面するシート体が剥がれず密着し貼り付けられ固定される。
【００３０】
本体部は、略長方形であり、本体部の左右双方に帯状の形状の帯状体を備えており、形状は、例えば、端部の幅方向が中央部の幅方向よりも広い、一方の端部が広い、端部の形状が凹凸、波状、星形、異形の等の形状であってもよい。特に形状に限定されるものではない。
【００３１】
帯状に延長された帯状体の双方の端部は、背中の方向に引っ張る力により、左右双方の肩部（支点）を経て背中の領域に貼り付けられ固定される。双方の端部が首部から肩部（支点）を経て背中の方向に引っ張れ貼り付けられると引っ張られる力が減少するから、引っ張られる力が肩部を経由していることで逆方向（首の方向）に戻らず、端部が背中の領域にしっかりと連続して貼り付けられ固定される。
【００３２】
左右双方の帯状体が背中の領域でクロスさせる用法は、左肩を経て引っ張られた帯状体が中段の辺を通過し右の肩甲骨の下角の位置に貼り付けられ、右肩を経て引っ張られた帯状体が中段の辺を通過し左の肩甲骨の下角の位置に貼り付けられると、互いの帯状体が中段の辺の位置でクロスを構成し、互いの引っ張り方向の力が首方向に戻らず、帯状体が有する伸縮性が安定し、首部に剥がれず密着し貼り付けられる。
【００３３】
首部の肌は、特に美容用法がおろそかになる部位の、顔の面が除かれた顎下から首元部までの領域の肌を言う。
【００３４】
美容用法を終えてシート体を首部の肌から剥がすときは、最初に背部中の任意の位置に貼り付けられた１つ以上の端部をつまみ貼り付けた順序の逆の作業を行って剥がし、端部が支点となる肩部を経て首部の方向に戻す用法がスムーズで良い。
【００３５】
左右双方に延長し帯状からなる帯状体は、首部から肩部を経て背中方向に引っ張られ、引っ張られる力が阻害されず貼り付けられて固定される。
【００３６】
帯状体の延長する方向に交わる切込み線又は切り欠き線は、帯状体の引っ張る力の方向の方向性が損なわれ、貼り付けられるとシート体の少なくとも一部に弛みが発生し浮き上がり、期待する薬事の効能効果が得られない。
【００３７】
図４は、本発明の一実施の背中の領域である。左右双方の帯状体の端部が貼り付けられる位置を示している。背中の領域は、左の肩甲骨と右の肩甲骨で囲まれる領域である。
【００３８】
背中の領域符号３７は、背中を正面から見て、左の肩甲骨の上縁符号２４から上角符号２５を経て横方向に相対する右の肩甲骨の上角符号２７を経て上縁符号２８を線で結んだ上段の辺符号３２、次に右の肩甲骨の上縁符号２８から下の方向の下角符号３０を線で結んだ辺、次に右の肩甲骨の下角符号３０から横方向に相対する左の肩甲骨の下角符号３１を線で結んだ下段の辺符号３４、次に下角符号３１から上の方向の上縁符号２４を線で結んだ辺の四つの辺で囲まれた内側の領域を言う。
【００３９】
中段の辺符号３３とは、左の肩甲骨の上角と下角を結んだ辺の膏肓符号２６と右の肩甲骨の上角と下角を結んだ辺の膏肓符号２９の互いを横方向に線で結んだ辺を言う。
【００４０】
背中に貼り付けられる帯状体の端部の部位は、好ましくは、上段の辺の領域にかかり貼り付けられる。更に好ましくは、中段の辺の領域にかかり貼り付けられる。最も好ましくは、下段の辺の領域にかかり貼り付けられるとよい。
【００４１】
すなわち、背中の領域は、頭の縦方向を軸（脊髄）として、軸に対して横の方向に交差する上段の辺又は中段の辺又は下段の辺を目安にして端部が貼り付けられると、首部にシート体が密着して貼り付けられて固定される。
【００４２】
図５は、化学繊維が含まれる不織布シートで構成されるシート体が熱シールにより撥水効果を有する融着領域符号２０を設けている。融着領域の加工は、近傍の肌や髪の毛の汚れを防止する工夫である。
【００４３】
概ね、洗髪後、洗顔後に首部に貼り付けられて、シート体に有する液剤により肌や毛髪への汚れ防止は、シート体を構成する化学繊維が、熱により溶融され撥水効果を有する溶着領域を備えることで解決される。溶融領域を有する素材の選択は、任意である。
【００４４】
貼り付けた際の、耳掛け部または端部の近傍の髪の毛に接触して汚されない工夫は、シート体の少なくとも耳掛け部の一部の領域または端部の少なくとも一部の領域、双方の領域を熱シールにより化学繊維を溶融させる。
【００４５】
加えて、不織布シートに含まれる化学繊維が熱シールで溶融されて溶融領域が設けられる場合、化学繊維の溶融領域には撥水効果により薬剤が含まれず、溶融面は液剤が弾かれ付着していないので、耳掛け部または端部が髪の毛に触れても汚されない。
【００４６】
シート体は、熱シールの治具により化学繊維が溶融されて領域が備えられ、例えば、化学繊維と自然繊維が絡み構成される。或は、化学繊維と自然繊維とゴム系等が絡み構成されると、肌への硬さを解消させる柔らかな感触が体感させられる領域が形成されて液剤を寄せ付けない効果も得られる。
【００４７】
図６は、不織布ロール符号２１の機械方向符号２２と首筋縦方向（図１の上下方向）にして打ち抜いている。縦方向（機械方向）に伸びず、横幅方向符号２３に広がりやすいから、シート体を首に貼り付けその上から手のひらや指の腹で横方向になぞることでパック用シートが首に良く密着して高い美容の効果が得られる。
【００４８】
加えて、左右双方の耳掛け部がそれぞれの耳部に掛けとめられた状態によるシート体の美容の効果は、首の縦方向に対して横方向に手のひらや指の腹でなぞり延ばす美容用法により、肌にフィット感と矯正感の美容の効果が得られる。
【００４９】
不織布ロールの機械方向と首の方向（図１の上下方向）を直角に打ち抜くと、首部に貼り付けると横方向に伸びず、上下方向に広がりやすい。この特性を利用し、シート体を首に貼り付けその上から手のひらや指の腹で上下方向になぞることでパック用シートが首に良く密着して高い美容の効果が得られる。
【００５０】
加えて、左右双方の耳掛け部がそれぞれの耳部に掛けとめられた状態によるシート体の美容の効果は、シート体の上から首の縦方向に対して上下の方向に手のひらや指の腹でなぞり伸ばす美容用法により、肌にフィット感と矯正感の美容の効果が得られる。
【００５１】
首部のパック用シートは、熱シールの治具または溶断または立体成型または刃型等で形成される。
【００５２】
不織布シートは、自然繊維（コットン、リヨセル、パルプ等）、化学繊維（ポリエチレン、ポリエステルフタレート、ポリプロピレン等）、軟質素材（ゴム系等）、自然素材（木炭粉末等）であり、これらが任意に絡ませられる。例えば、不織布シートの目付１０（ｇ／ｍｍ２）以上から選択するとよい。
【００５３】
シート体に溶融領域を設けると、撥水効果が得られ液剤が付着しない、少なくとも化学繊維を有することが望ましい。自然繊維単体に溶けた樹脂を付着させる又は自然繊維または化学繊維またはゲル素材または軟質のゴム系素材のいずれかを有するシートである。
【００５４】
ゲル状の首パック用シート、例えば、ゲル素材の、ハップ剤シート体若しくはバイオセルロースのシート体の、片面又は両面に利便性を求められた強度や使用性が高められるための不織布シート或は樹脂シートが構成され、補強シートには折り曲げられると１つ以上のつまみ部が形成される、つまみ部をつまみスムーズに剥がされる、例えば、鋸状等の切込み線が備えられることが望ましい。
【００５５】
液剤は、薬剤と薬剤以外をいう。薬剤は、化粧品、医薬部外品、医薬品の効能効果が得られる、液状、クリーム状、パウダー状、ペースト状、ゲル状等である。
【００５６】
薬剤以外は、例えば、「冷感（体温、かぜ熱を下げる）：小麦粉＋水」、「温感、発汗（体温を上げる）：唐辛＋小麦粉＋水」、「美容（野菜）パック：キュウリのスライスパック」、「泥（クレイ）：泥パック」「炭の粉：皮脂や汚れや古い角質の吸着や臭いの吸着パック」等であり、薬事の範囲外の原料である。
【００５７】
本願発明のパック用シートと液剤との封入は、例えば、バリアを有する袋、チャック機能を有する袋、フラップなる蓋を有する袋や樹脂容器等（以下、包装体という）に封入されるとよい。パック用シートはドライの状態で包装体に封入されてもよい。
【００５８】
薬事の効能効果を問わないシート体の活用例は、シート体が液剤を含まないドライの状態でもよく、紫外線カットの日焼けの予防にもつながる。シート体に薬事以外の液剤が含侵されることで、例えば、体温の熱吸収の効果が得られる。
【００５９】
本願出願の、既出願の特許第４９９５９８１号公報のシート体の片面又は両面に貼り合わせられるフィルムを備える技術と併せることでより使用性が増すので何ら問題としない。
【実施例】
【００６０】
本願発明の、液剤を有する首パック用シートの実施例は、折り畳まれて液剤と共に封入された包装体から取り出して、本体部の上部に結合されている耳掛け部を、左右双方の耳部に掛けとめられる切り欠き線が備えられ、左の耳掛け部を左の指でつかみ、右の耳掛け部を右の指でつかみ広げ、る。左の耳掛け部を左の耳部に掛けとめ、右の耳掛け部を右の耳部に掛け止めて固定する。
【００６１】
首部の周囲は、首部に密着し固定させるための、左右の耳掛けの上端を結ぶ辺が、顎裏部のライン（曲線）に沿った形状を顎裏に宛がい貼り付け、広げられたシート体の面が首部の肌の面に位置していることを確認する。
【００６２】
次に、本体部の延長した帯状の、左の端部符号６をつまみながら左肩方向に引っ張り密着させながら左肩上部の上を経て背中の領域の左の部位に貼り付け、引っ張る力が首の方向に戻らないように力の支点となる肩部にしっかりと貼り付け固定するものである。
【００６３】
加えて、本体部の延長した帯状の、右の端部をつまみながら右肩方向に引っ張り密着させながら右肩上部を経て背中の領域の右の部位に貼り付け、引っ張る力が首の方向に戻らないように力の支点となる肩部にしっかりと貼り付け固定するものである。
【００６４】
さらに、背中の領域にしっかりと貼り付けられて固定させるための用法に、図３の、帯状体が延長する方向に沿った１本以上の切り欠き線を設けて、引っ張る力を分散するための、複数の帯状体を構成し端部を背中の領域の部位に貼り付けて、引っ張る力が首の方向に戻らないようにするとよい。
【００６５】
左右の互いの帯状体が背中の領域の中段の辺の位置でクロスを構成し、クロスさせて端部を貼り付け固定させると、互いの引っ張り方向の力が首方向に戻らず、帯状体が有する伸縮性が安定し、首部に剥がれず密着し貼り付けられる。
【００６６】
シート体に面する肌は、薬事の効能効果が得られる。貼りつけ固定する時間は凡そ１５分程度が目安であり、包装体に記載された用法に準ずる。
【符号の説明】
【００６７】
１    シート体
２    本体部
３    帯状体
４    右の端部
５    左の端部
６    右の耳掛け部
７    左の耳掛け部
８    耳部の切り欠き線    
９    首部
１０    右の耳部
１１    左の耳部
１２    左の肩上部（支点）
１３    右の肩上部（支点）
１４    引っ張り貼り付ける方向
１５    戻る力の方向
１６    右の背中
１７    左の背中
１８    帯状体に沿った切り欠き線
１９    複数の帯状体
２０    溶融領域
２１    不織布ロール
２２    機械方向
２３    横幅方向
２４    左肩甲骨上縁
２５    左肩甲骨上角
２６    左の膏肓
２７    右肩甲骨上角
２８    右肩甲骨上縁
２９    右の膏肓
３０    右肩甲骨の下角
３１    左肩甲骨の下角
３２    上段の辺
３３    中段の辺
３４    下段の辺
３５    耳掛けの上端を結ぶ辺
３６    顎裏部から首元方向に向かう凸形状
３７    背中の領域
【図１】
2020130786.tif 000003
【図２】
2020130786.tif 000004
【図３】
2020130786.tif 000005
【図４】
2020130786.tif 000006
【図５】
2020130786.tif 000007
【図６】
2020130786.tif 000008
【手続補正書】
【提出日】令和1年5月30日(2019.5.30)
【手続補正１】
【補正対象書類名】特許請求の範囲
【補正対象項目名】全文
【補正方法】変更
【補正の内容】
【特許請求の範囲】
【請求項１】
液剤を有し、首部の少なくとも一部を覆うことができる帯状体の本体部と、前記本体部の上部に結合された左右双方の耳部に掛けとめられる左右双方の第１端部と、前記左右双方の前記第１端部の前記耳部に対応する位置に形成された切り欠き部と、前記左右双方の前記第１端部の上端を結ぶ辺が顎裏部から首元方向に向かう弓形状を有し、前記本体部の左右双方に第２端部を備えて、前記第２端部が左右の肩部を経て背中の領域に貼り付けられることを特長とするシート体。
【請求項２】
前記帯状体の左又は右又は双方に、前記帯状体の長手方向に沿って、１本以上の切り欠き線を有してなる請求項１に記載のシート体。
【請求項３】
前記背中の領域符は、左の肩甲骨の上縁左端部から右上角を経て、右の肩甲骨の左上角を経て、前記右の肩甲骨の上縁右端部を線で結んだ上段の辺、前記右の肩甲骨の上縁の前記右端部から前記左の肩甲骨の下角を線で結んだ辺、前記右の肩甲骨の前記下角から前記左の肩甲骨の下角を線で結んだ下段の辺、前記左の肩甲骨の前記下角から前記上段の辺の上縁左端部を線で結んだ辺の四つの辺で囲まれた内側の領域である請求項１に記載のシート体。
【手続補正書】
【提出日】令和1年5月30日(2019.5.30)
【手続補正１】
【補正対象書類名】特許請求の範囲
【補正対象項目名】全文
【補正方法】変更
【補正の内容】
【特許請求の範囲】
【請求項１】
液剤を有し、首部の少なくとも一部を覆うことができる帯状体の本体部と、前記本体部の上部に結合された左右双方の耳部に掛けとめられる左右双方の第１端部と、前記左右双方の前記第１端部の前記耳部に対応する位置に形成された切り欠き部と、前記左右双方の前記第１端部の上端を結ぶ辺が顎裏部から首元方向に向かう弓形状を有し、前記本体部の左右双方に第２端部を備えて、前記第２端部が左右の肩部を経て背中の領域に貼り付けられることを特長とするシート体。
【請求項２】
前記帯状体の左又は右又は双方に、前記帯状体の長手方向に沿って、１本以上の切り欠き線を有してなる請求項１に記載のシート体。
【請求項３】
前記背中の領域は、左の肩甲骨の上縁左端部から前記左の肩甲骨の右上角及び右の肩甲骨の左上角を経て、前記右の肩甲骨の上縁右端部を線で結んだ上段の辺、前記右の肩甲骨の上縁の前記右端部から前記右の肩甲骨の下角を線で結んだ辺、前記右の肩甲骨の前記下角から前記左の肩甲骨の下角を線で結んだ下段の辺、前記左の肩甲骨の前記下角から前記上段の辺の前記上縁左端部を線で結んだ辺の四つの辺で囲まれた内側の領域である請求項１に記載のシート体。